(57)【要約】【課題】取付枠への着脱時に突片及び係合爪に不具合が生じることを防ぐ。【解決手段】取付枠２００の係合孔２０７に突片１１が挿通される際及び係合孔２０７から突片１１が退出する際、突片１１には係合爪２０７の突出向きと反対向きに力が加えられ、その力がプレート本体１における突片１１の根元部分にも加わる。当該根元部分の突片１１と対向する部位においてはプレート本体１と化粧プレート２との貼着力が貫通溝１５によって低下している。そのため、突片１１とともに当該根元部分が僅かに撓むことで突片１１の塑性変形や折れ、あるいは係合爪１３の削れ等の不具合が生じることを防ぎつつ、突片１１の係合爪１３が係合孔２０７の周縁部分２０８を乗り越えることができる。【選択図】        図１
2010193553.tif 000002
【特許請求の範囲】
【請求項１】
埋込型の配線器具を保持する取付枠の前面に着脱自在に取り付けられる配線器具用プレートであって、
合成樹脂材料によって矩形枠状に形成されたプレート本体と、前記合成樹脂材料よりも硬質な材料からなり、プレート本体前面の少なくとも一部を覆うように当該プレート本体前面に貼着される化粧プレートとを備え、
プレート本体は、後方へ突出して取付枠に貫設されている係合孔に前方より挿通される１乃至複数の突片が一体に設けられるとともに、取付枠の背面側における係合孔の周縁部分と係脱自在に係合する係合爪が当該突片の先端部分から側方へ一体に突設され、突片の根元部分であり且つ前後方向において係合爪と対向する部位に貫通溝が形成されていることを特徴とする配線器具用プレート。
【請求項２】
プレート本体は、突片の根元部分であり且つ係合爪の突出方向と交差する方向に沿った突片の側方の部位に第２の貫通溝が形成されていることを特徴とする請求項１記載の配線器具用プレート。
【請求項３】
プレート本体は、突片を補強する補強用リブが、突片の根元部分であり且つ前後方向において係合爪と対向しない部位に一体に設けられ、
第２の貫通溝の長手方向の寸法は、当該長手方向に沿った突片と補強用リブを含む部位の寸法よりも大きいことを特徴とする請求項２記載の配線器具用プレート。
【請求項４】
プレート本体は、一つの係合孔に共通に挿通される複数の突片が設けられ、これら複数の突片の先端部には、互いの突出方向が交差するようにそれぞれ係合爪が突設されていることを特徴とする請求項１〜３の何れか１項に記載の配線器具用プレート。
【請求項５】
埋込型の配線器具と、当該配線器具を保持する金属製の取付枠と、請求項１〜４の何れか１項に記載の配線器具用プレートとを備えたことを特徴とする配線装置。
【発明の詳細な説明】
【技術分野】
【０００１】
本発明は、壁面等の造営面に設けた埋込孔に配線器具を埋込配設するための配線器具用プレート及び配線装置に関するものである。
【背景技術】
【０００２】
従来、壁面等の造営面に埋込ボックス（スイッチボックス）を埋設し、スイッチやコンセント等の配線器具が着脱自在に取り付けられる取付枠をボックスねじによって埋込ボックスに取り付け、さらに取付枠の前面に取着することで配線器具を造営面に見栄え良く埋込配設することのできる配線器具用プレート及び配線装置が提供されている（例えば、特許文献１参照）。
【０００３】
取付枠は金属材料等によって矩形枠状に形成され、その四隅に係合孔が貫設されている。配線器具用プレートは、弾性を有する合成樹脂材料によって、中央部分に配線器具の機能面（スイッチの操作ハンドルの操作面あるいはコンセントの差込口が設けられた面）を露出する開口窓を有して取付枠前面を覆う矩形枠状に形成されている。また、配線器具用プレートの背面側における四隅には、後方へ向けて各々突片が突設されるとともに、これらの突片先端には側方へ突出する係合爪が一体に形成されている。そして、突片を前方から係合孔に挿入し、取付枠の背面側における係合孔の周縁部分に突片先端の係合爪を係合することで取付枠に対して配線器具用プレートが固定されるようになっている。ここで、従来の配線器具用プレートは、通常、弾性を有する合成樹脂成形品で構成されており、係合孔に挿入される過程で係合爪が係合孔の周縁部分と当接して突片が撓み、係合爪が係合孔の周縁部分を乗り越えることで係合孔の周縁部分に係合爪が係合する。また、配線器具用プレートが前方へ引っ張られると、係合孔から退出する過程で突片が撓み、係合爪が係合孔の周縁部分を乗り越えることで係合孔の周縁部分と係合爪と係合が外れて取付枠から配線器具用プレートを取り外すことができる。尚、配線装置は、配線器具と、取付枠と、配線器具用プレートとで構成される。
【先行技術文献】
【特許文献】
【０００４】
【特許文献１】特開２００４−３２８８８号公報
【発明の概要】
【発明が解決しようとする課題】
【０００５】
ところで、主に高級感を醸し出すために金属等の合成樹脂以外の材料で形成された配線器具用プレートも提供されている。このような配線器具用プレートＰ’は、図７に示すように背面側における四隅から突片１１’が突設された合成樹脂製のプレート本体１’と、合成樹脂よりも硬質な材料（例えば、アルミなどの金属材料）で形成された化粧プレート２’とを備え、シート状の接着部材３’を用いてプレート本体１’の前面に化粧プレート２’が貼着されている。
【０００６】
ここで、突片１１’のみを撓ませることは強度的に困難であり、実際には突片１１’が突設されているプレート本体１’も撓ませることでプレート本体１’の係合爪１３’に取付枠２００の係合孔２０７の周縁部分２０８を乗り越えさせる必要がある。しかしながら、上述のように合成樹脂製のプレート本体１’の前面に硬質な材料製の化粧プレート２’を貼着した構成においては、プレート本体１’を撓ませることが困難であり、その結果、係合爪１１’が係合孔２０７の周縁部分２０８によって削られたり、あるいは突片１１’が塑性変形したり折れるなどの不具合が生じる虞があった。
【０００７】
本発明は上記事情に鑑みて為されたものであり、その目的は、取付枠への着脱時に突片及び係合爪に不具合が生じることを防ぐことができる配線器具用プレート及び配線装置を提供することにある。
【課題を解決するための手段】
【０００８】
請求項１の発明は、上記目的を達成するために、埋込型の配線器具を保持する取付枠の前面に着脱自在に取り付けられる配線器具用プレートであって、合成樹脂材料によって矩形枠状に形成されたプレート本体と、前記合成樹脂材料よりも硬質な材料からなり、プレート本体前面の少なくとも一部を覆うように当該プレート本体前面に貼着される化粧プレートとを備え、プレート本体は、後方へ突出して取付枠に貫設されている係合孔に前方より挿通される１乃至複数の突片が一体に設けられるとともに、取付枠の背面側における係合孔の周縁部分と係脱自在に係合する係合爪が当該突片の先端部分から側方へ一体に突設され、突片の根元部分であり且つ前後方向において係合爪と対向する部位に貫通溝が形成されていることを特徴とする。
【０００９】
請求項１の発明によれば、取付枠の係合孔に突片が挿通される際及び係合孔から突片が退出する際、突片には係合爪の突出向きと反対向きに力が加えられ、その力がプレート本体における突片の根元部分にも加わるが、当該根元部分の突片と対向する部位においてはプレート本体と化粧プレートとの貼着力が貫通溝によって低下しているので、突片とともに当該根元部分が撓むことで突片の塑性変形や折れ、あるいは係合爪の削れ等の不具合が生じることを防ぐことができる。また、取付枠への着脱時だけでなく、外部から衝撃が加わったときにおいても突片や係合爪に不具合が生じることを防ぐことができる。
【００１０】
請求項２の発明は、請求項１の発明において、プレート本体は、突片の根元部分であり且つ係合爪の突出方向と交差する方向に沿った突片の側方の部位に第２の貫通溝が形成されていることを特徴とする。
【００１１】
請求項２の発明によれば、第２の貫通溝が形成されていることによって突片の根元部分におけるプレート本体と化粧プレートとの貼着力が低下しているため、突片に対する係合爪の突出方向と交差する方向から力が加わったときにも突片や係合爪に不具合が生じることを防ぐことができる。
【００１２】
請求項３の発明は、請求項２の発明において、プレート本体は、突片を補強する補強用リブが、突片の根元部分であり且つ前後方向において係合爪と対向しない部位に一体に設けられ、第２の貫通溝の長手方向の寸法は、当該長手方向に沿った突片と補強用リブを含む部位の寸法よりも大きいことを特徴とする。
【００１３】
請求項３の発明によれば、補強用リブによって突片を補強しつつ、突片に対する係合爪の突出方向と交差する方向から力が加わったときにも突片や係合爪に不具合が生じることを防ぐことができる。
【００１４】
請求項４の発明は、請求項１〜３の何れか１項の発明において、プレート本体は、一つの係合孔に共通に挿通される複数の突片が設けられ、これら複数の突片の先端部には、互いの突出方向が交差するようにそれぞれ係合爪が突設されていることを特徴とする。
【００１５】
請求項４の発明によれば、取付枠に対する取付強度が向上できる。
【００１６】
請求項５の発明は、上記目的を達成するために、埋込型の配線器具と、当該配線器具を保持する金属製の取付枠と、請求項１〜４の何れか１項に記載の配線器具用プレートとを備えたことを特徴とする。
【００１７】
請求項５の発明によれば、金属製の取付枠への着脱時に配線器具用プレートの突片及び係合爪に不具合が生じることを防ぐことができる。特に、取付枠が金属製であると配線器具用プレートの係合爪が削れやすいため、金属製の取付枠への着脱時に配線器具用プレートの係合爪が削れることを防ぐことができる。
【発明の効果】
【００１８】
本発明によれば、取付枠への着脱時に突片及び係合爪に不具合が生じることを防ぐことができる。
【図面の簡単な説明】
【００１９】
【図１】本発明の実施形態を示し、（ａ）は取付枠に取り付けた状態の正面図、（ｂ）は（ａ）のＡ−Ａ線断面矢視図、（ｃ）は要部断面図である。
【図２】同上を示し、（ａ）は正面図、（ｂ）は左側面図、（ｃ）は背面図、（ｄ）は下面図、（ｅ）は要部の背面図である。
【図３】同上の分解斜視図である。
【図４】同上における貫通溝の他の形状を示す要部平面図である。
【図５】同上の他の構成を示す一部省略した背面図である。
【図６】同上のコンセントが取り付けられた状態の正面図である。
【図７】従来例を示す要部断面図である。
【発明を実施するための形態】
【００２０】
以下、図面を参照して本発明の実施形態を詳細に説明する。尚、以下の説明では、特に断らない限り、図３において前後、左右、上下の各方向を規定する。
【００２１】
本実施形態の配線装置は、図３に示すように埋込型の配線器具１００と、金属製の取付枠２００と、配線器具用プレートＰとで構成される。配線器具用プレートＰは、埋込型の配線器具１００を保持する取付枠２００の前面に着脱自在に取り付けられるものであって、合成樹脂材料によって矩形枠状に形成されたプレート本体１と、前記合成樹脂材料よりも硬質な材料からなり、プレート本体１前面の少なくとも一部を覆うように当該プレート本体１前面に貼着される化粧プレート２とを備えている。
【００２２】
本実施形態で例示する配線器具１００は、接点を開閉するスイッチ機構をスイッチケース１０３に内蔵したスイッチ本体１０１と、スイッチ本体１０１に枢着されるピアノハンドル式の操作ハンドル１０２とにより構成される、いわゆるワイドハンドル形のスイッチである。スイッチ本体１０１は、スイッチケース１０３に対して後方に押し込むことができる押釦１０４を備え、押釦１０４の押操作毎に接点を反転させるスイッチ機構がスイッチケース１０３に内蔵されている。スイッチケース１０３は前面から見て矩形状に形成されており、長手方向における両側面には各一対の取付爪１０５が突設される。スイッチケース１０３の一面の取付爪１０５は、スイッチケース１０３の側面に直交する方向に可撓である可撓片１０６に取り付けられ、可撓片１０６をスイッチケース１０３に押し込むように押力を作用させると、取付爪１０５をスイッチケース１０３の内側に向かって後退させることができるようになっている。スイッチケース１０３の前面には、長手方向の一端側の側縁に沿って一対の枢着突起１０７が突設され、操作ハンドル１０２の後面に設けた溝（図示せず）内に枢着突起１０７を嵌着することによって操作ハンドル１０２がスイッチ本体１０１に枢着される。また、スイッチケース１０３の前面の長手方向の他端側の側縁に沿って挿入溝１０８が形成され、操作ハンドル１０２の後面に設けた抜止脚１０９を挿入溝１０８に挿入することによって、操作ハンドル１０２の浮き上がり量が規制される。すなわち、抜止脚１０９を挿入溝１０８に挿入することによって抜止脚１０９が挿入溝１０８の内部で係止され、操作ハンドル１０２においてスイッチ本体１０１に枢着されていない端部が浮き上がらないようにしてある。
【００２３】
取付枠２００は金属製（鋳造品）であって矩形枠状に形成されており、上下一対の取付片２０１の左右の各端間をそれぞれ保持片２０２で連結した形状に連続一体に形成されている。すなわち、取付片２０１と保持片２０２とにより囲まれた矩形状の開口２０３が形成され、この開口２０３にスイッチ本体１０１の前端部が挿入される。各保持片２０２は、開口２０３を囲む部位の内側縁から後方に延長された断面Ｌ字状に形成され、後方に延長された部位にはそれぞれ複数の保持孔２０４がスイッチ１００を保持する取付部として形成されている。スイッチ本体１０１を取付枠２００に取り付けるには、スイッチ本体１０１において可撓片１０６を備えていない側面の取付爪１０５を保持孔２０４に挿入した後に、可撓片１０６を備える側面の取付爪１０５を保持孔２０４に挿入することによって取付爪１０５を保持孔２０４に係合させる。また、取付枠２００からスイッチ本体１０１を取り外すには、可撓片１０６をスイッチケース１０３の内側に押し込むようにすれば、保持孔２０４に対する取付爪１０５の係合状態が解除される。
【００２４】
取付枠２００の取付片２０１には、施工面（壁面などの造営面）に埋め込まれた埋込ボックスに螺合するボックスねじを挿通するボックス取付孔２０５と、施工面に螺入される取付ねじが挿通される挿通孔２０６とが前後方向に貫通する形で形成される。ボックス取付孔２０５は左右方向に長い長孔状であってボックスねじが挿通される。挿通孔２０６には取付枠２００を木ねじのみによって直付けする際に用いられ、挿通孔２０６に挿通される木ねじは施工面に螺入される。また、一対の取付片２０１のそれぞれ左右両端部には、後述する配線器具用プレートＰの突片１１が挿通される矩形の係合孔２０７が前後方向に貫設されている。
【００２５】
ここにおいて、図示するスイッチ１００のスイッチ本体１０１は１個の取付部（４個の保持孔２０４）を用いて取付枠２００に取り付けることができるものであって、スイッチ本体１０１の前面の上下寸法は、開口２０３の上下寸法の略３分の１に形成されており、３個の取付部を備える１個の取付枠２００に対して、スイッチ本体１０１を３個まで取り付けることが可能になっている。このスイッチ本体１０１の寸法を配線器具に関する単位寸法とする。単位寸法のスイッチ本体１０１を取付枠２００に１個だけ取り付けるときには取付枠２００の上下方向における中央部の取付部を用い、スイッチ本体１０１を２個取り付けるときには上下２個の取付部を用い、スイッチ本体１０１を３個取り付けるときにはすべての取付部を用いる。また、スイッチ本体１０１を１個取り付ける場合には開口２０３の全体を覆う程度の面積を有した操作ハンドル１０２を用い、スイッチ本体１０１を２個取り付ける場合と３個取り付ける場合とには、それぞれ１個取り付ける場合に用いる操作ハンドル１０２の２分の１の面積を有する操作ハンドル１０２と３分の１の面積を有する操作ハンドル１０２とを用いる。
【００２６】
配線器具用プレートＰを構成するプレート本体１は、例えば熱可塑性樹脂などの弾性を有する合成樹脂材料からなる樹脂成形品であり、中央部に開口窓１０を備えた矩形枠状に形成される。開口窓１０の開口サイズは、取付枠２００の開口２０３の開口サイズよりやや大きく設定される。またプレート本体１の外形サイズは、取付枠２００の外形サイズより大きく設定される。このようなプレート本体１の後面側における四隅には、プレート本体１を取付枠２００に取り付けるための突片１１がそれぞれ突設される（図１及び図２参照）。プレート本体１の左辺には前面側に膨出する膨出部１２が形成される。膨出部１２はプレート本体１の長手方向を自身の長手方向とする矩形板状のものである。
【００２７】
化粧プレート２は、プレート本体１の上下両辺をそれぞれ覆うことができる矩形板状の一対の脚片２０と、一対の脚片２０をその右端側同士で一体に連結する連結片２１とを有し、硬質な板材（例えば、アルミ板）を加工することでコ字状に形成されている。この連結片２１はプレート本体１の右辺を覆うことができる矩形板状に形成される。つまり、化粧プレート２は、プレート本体１の四辺のうち膨出部１２が形成された左辺を除く残り三辺の前面を覆う形のコ字状に形成される。また、化粧プレート２における一対の脚片２０間の距離寸法は、膨出部１２の長手方向における長さ寸法に等しく（実際にはやや大きく）設定される。
【００２８】
上述の化粧プレート２は、表裏両面に接着剤が塗布されたコ字形の接着シート３によりプレート本体１の前面側に貼着される。但し、本実施形態では接着シート３を用いて化粧プレート２をプレート本体１に貼着しているが、接着シート３に代えて接着剤（一例としてはゲル状の接着剤）などの接着部材を用いてもよい。
【００２９】
次に、本発明の要旨であるプレート本体１の構造について、さらに詳しく説明する。
【００３０】
突片１１は、左右方向の幅寸法よりも上下方向の厚み寸法が小さい矩形板状に形成され、その先端部（後端部）における開口窓１０側の側面（上側の２つの突片１１においては下側面、下側の２つの突片１１においては上側面）には、取付枠２００の後面側における係合孔２０７の周縁部分２０８に係脱自在に係合する係合爪１３が突設されている（図１（ｃ）参照）。また、プレート本体１における突片１１の根元部分であり且つ前後方向において係合爪１３と対向する部位（上側の突片１１においては下側の部位、および下側の突片１１においては上側の部位）には、プレート本体１を前後方向に貫通する略コ字形の貫通溝１５が形成されている（図２（ｃ）参照）。
【００３１】
而して、取付枠２００の係合孔２０７に突片１１が挿通される際及び係合孔２０７から突片１１が退出する際、突片１１には係合爪２０７の突出向きと反対向き（図１（ｃ）においては下向き）に力が加えられ、その力がプレート本体１における突片１１の根元部分にも加わるが、当該根元部分の突片１１と対向する部位においてはプレート本体１と化粧プレート２との貼着力が貫通溝１５によって低下している。そのため、突片１１とともに当該根元部分が僅かに撓むことで突片１１の塑性変形や折れ、あるいは係合爪１３の削れ等の不具合が生じることを防ぎつつ、突片１１の係合爪１３が係合孔２０７の周縁部分２０８を乗り越えることができる。また、取付枠２００への着脱時だけでなく、化粧プレート２に外部から衝撃が加わったときにおいても、突片１１とともに根元部分が撓むことで突片１１や係合爪１３に不具合が生じることを防ぐことができる。尚、本実施形態のように取付枠２００が金属製である場合、係合孔２０７の周縁部分２０８と摺接することで係合爪１３が削れやすいので、係合爪１３が削れることを防ぐ点で特に有効である。
【００３２】
ここで、プレート本体１の後面側における突片１１の根元部分の左右両端及び上下両側には突片１１を補強する各一対の補強用リブ１４ａ，１４ｂが突片１１と一体に設けられている。そして、突片１１を挟んで係合爪１３と反対側に位置する（前後方向において係合爪１３と対向しない）一方の補強用リブ１４ｂを他方の補強用リブ１４ａよりも大きい（上下方向に長い）寸法に形成している（図１（ｃ）参照）。すなわち、突片１１の根元部分であり且つ前後方向において係合爪１３と対向しない部位には係合爪１３が係合孔２０７の周縁部分２０８を乗り越える際に応力が集中し易いため、当該部位に設けられる一方の補強用リブ１４ｂを他方の補強用リブ１４ａよりも大きい寸法に形成することで突片１１の破損が防止できるという利点がある。
【００３３】
しかしながら、補強用リブ１４ａ，１４ｂを設けることで突片１１が撓みにくくなるため、本実施形態では、左右方向の貫通溝の両端に上下方向の貫通溝（第２の貫通溝）を連結することで貫通溝１５を全体として略コ字形に形成している。つまり、図４に示すように左右方向の貫通溝１５’のみでも突片１１の根元部分を撓み易くすることは可能であるが、補強用リブ１４ａ，１４ｂを設けた場合には、突片１１の根元部分であり且つ係合爪１３の突出方向（上下方向）と交差する方向（左右方向）に沿った突片１１の側方の部位に第２の貫通溝を設けることにより、突片１１を補強すると同時に突片１１の塑性変形や折れ、あるいは係合爪１３の削れ等の不具合が生じることを防ぐことができる。さらに、左右方向の貫通溝の両端に上下方向の貫通溝（第２の貫通溝）を連結して貫通溝１５を略コ字形に形成することで突片１１の根元部分をより撓み易くできるという利点がある。但し、必ずしも左右方向の貫通溝の両端に上下方向の貫通溝（第２の貫通溝）を連結する必要はなく、左右方向の貫通溝１５’と第２の貫通溝を分断していても構わないし、第２の貫通溝を突片１１の左右何れか一方側にのみ設けても構わない。また、補強用リブ１４ａ，１４ｂを設けない場合においても、第２の貫通溝を形成しておくことによってプレート本体１に左右方向の力が加わったときに突片１１の根元部分が第２の貫通溝によって撓み易くなっているために突片１１の破損が防止できるという利点がある。尚、第２の貫通溝の長手方向の寸法（貫通溝１５の上下方向の寸法）は、上下方向における突片１１と補強用リブ１４ａ，１４ｂを含む部位の寸法よりも大きくすることが望ましい（図２（ｃ）参照）。
【００３４】
ところで、一般に住宅等の建物の内壁には壁紙（クロス）を貼ることが多く、埋込形の配線器具を壁面に埋込配設するためには壁面に設けられる埋込孔の部分で壁紙を切り取って孔を開ける必要があるが、この孔開け作業において、埋込孔を塞ぐ壁紙をきれいに切り取ることができずに残った壁紙が埋込孔の周りにはみ出す場合がある。通常、壁紙のはみ出した部分は取付枠２００と壁面との間に挟み込んでしまうのであるが、施工の都合上から取付枠２００を埋込ボックスに取り付けて壁面に配設した後から壁紙を貼る作業（クロス貼作業）を行う場合、上記壁紙のはみ出し部分を取付枠２００と壁面との間に挟み込むことができず、配線器具用プレートＰと壁面との間に壁紙が挟み込まれてしまうことがある。ここで、係合爪１３を係合孔２０７の周縁部分２０８に係合した状態で取付枠２００の後面とプレート本体１の後面とがほぼ面一となるように突片１１の突出寸法が設定されていると、プレート本体１と壁面との間に挟み込まれた壁紙のはみ出し部分の厚みによってプレート本体１の係合爪１３が係合孔２０７の周縁部分２０８に係合できなくなる虞がある。
【００３５】
そこで本実施形態では、図１（ｃ）に示すように係合爪１３の前方寄りの部位に係合凹部１３ａを設け、壁面とプレート本体１との間に壁紙を挟み込んだ状態においても、周縁部分２０８を係合凹部１３ａと係合させることで配線器具用プレート１を取付枠２００に確実に取り付けることができるようにしている。
【００３６】
また、図５に示すように、取付枠２００の一つの係合孔２０７に対して突片１１と共通に挿通される第２の突片１６をプレート本体１の後面側にそれぞれ突設し、第２の突片１６の先端部から内向きに突出する係合爪１７をそれぞれ第２の突片１６と一体に形成するとともに、貫通溝１５と繋がった略Ｌ字形の貫通溝１８を第２の突片１６の根元部分に貫設しても構わない。このように係合孔２０７の周縁部分２０８と係合する係合爪１３，１７の数を増やすことによって取付枠２００に対する配線器具用プレートＰの取付強度が向上するという利点がある。しかも、第２の突片１６の撓み方向（係合爪１７の突出方向）を突片１１の撓み方向（係合爪１３の突出方向）に交差させているため、あらゆる方向から加わる衝撃に対して、取付枠２００に対する配線器具用プレートＰの取付強度が向上できるものである。ここで、第２の貫通溝は２つの突片１１，１６の何れか一方の根元部分にのみ設けてもよいし、左右方向の貫通溝と分断されていても構わない。
【００３７】
尚、本実施形態では取付枠２００に取り付けられる配線器具としてスイッチ１００を例示したが、配線器具はスイッチ１００に限定されるものではなく、例えば、図６に示すように２つの差込口を前面に有するコンセント３００であっても構わない。
【符号の説明】
【００３８】
Ｐ  配線器具用プレート
１  プレート本体
２  化粧プレート
１１  突片
１３  係合爪
１５  貫通溝
１００  スイッチ（配線器具）
２００  取付枠
２０７  係合孔
２０８  周縁部分
【図１】
2010193553.tif 000003
【図２】
2010193553.tif 000004
【図３】
2010193553.tif 000005
【図４】
2010193553.tif 000006
【図５】
2010193553.tif 000007
【図６】
2010193553.tif 000008
【図７】
2010193553.tif 000009